(57)【特許請求の範囲】
【請求項１】
画像表示システムであって、
複数の画像供給装置と、
前記複数の画像供給装置のそれぞれから供給される複数の供給画像の中から、１つ以上の供給画像を選択して表示する画像表示装置と、
を備え、
前記複数の画像供給装置のそれぞれは、
表示部と、
前記画像表示装置によって表示される前記供給画像の選択と、選択された前記供給画像のレイアウトの指定と、をするための操作用画像を前記表示部に表示するとともに、前記操作用画像を介したユーザーによる指令を、前記画像表示装置に送信するインターフェイス部と、
を備え、
前記操作用画像は、
前記複数の供給画像のうちの表示候補となる候補画像を表す識別画像を配列して表示する候補画像表示領域と、
前記画像表示装置によって実際に表示される候補画像の識別画像を他の識別画像と区別して示す選択枠と、
を含み、
前記選択枠は、前記候補画像表示領域内における表示位置、または、前記選択枠内に含まれる候補画像の数、が異なる予め設定された複数の表示パターンのいずれかによって表示され、ユーザーによるドラッグ操作に応じて前記複数の表示パターンのうちの１つの表示パターンから他の表示パターンへと変化し、
前記画像表示装置は、前記選択枠内に含まれている前記候補画像を、前記選択パターンの表示パターンに応じたレイアウトによって表示する、画像表示システム。
【請求項２】
請求項１記載の画像表示システムであって、
前記ドラッグ操作は、前記選択枠内の画像領域をポインターによって指定して行う第１のドラッグ操作と、前記選択枠の枠上の位置をポインターによって指定して行う第２のドラッグ操作とを含み、
前記インターフェイス部は、前記第１のドラッグ操作を受け付けたときには、前記選択枠を、表示位置が異なる表示パターンに変化させ、前記第２のドラッグ操作を受け付けたときには、前記選択枠を、前記選択枠内に含まれる候補画像の数が異なる表示パターンに変化させる、画像表示システム。
【請求項３】
請求項１または請求項２記載の画像表示システムであって、
前記候補画像表示領域には、前記識別画像が、前記画像表示装置による表示画像においてレイアウト可能な供給画像の個数だけ表示されている、画像表示システム。
【請求項４】
表示部を有する複数の画像供給装置のそれぞれから供給される複数の供給画像の中から１つ以上の供給画像を選択して表示する画像表示装置であって、
表示される前記供給画像の選択と、選択された前記供給画像のレイアウトの指定と、をするための操作用画像を、前記複数の画像供給装置の表示部に表示させるとともに、前記操作用画像を介したユーザーによる指令を前記複数の画像供給装置から受信するインターフェイス部を備え、
前記操作用画像は、
前記複数の供給画像のうちの表示候補となる候補画像を表す識別画像を配列して表示する候補画像表示領域と、
前記画像表示装置によって実際に表示される候補画像の識別画像を他の識別画像と区別して示す選択枠と、
を含み、
前記選択枠は、前記候補画像表示領域内における表示位置、または、前記選択枠内に含まれる候補画像の数、が異なる予め設定された複数の表示パターンのいずれかによって表示され、ユーザーによるドラッグ操作に応じて前記複数の表示パターンのうちの１つの表示パターンから他の表示パターンへと変化する、画像表示装置。
【請求項５】
表示部を有する複数の画像供給装置と、前記複数の画像供給装置のそれぞれから供給される複数の供給画像の中から１つ以上の供給画像を選択して表示する画像表示装置と、を備える画像表示システムにおける画像表示方法であって、
（ａ）前記画像供給装置が、前記画像表示装置によって表示される前記供給画像の選択と、選択された前記供給画像のレイアウトの指定と、をするための操作用画像を、前記表示部に表示する工程と、
（ｂ）前記画像供給装置が、前記操作用画像を介したユーザーによる指令を、前記画像表示装置に送信する工程と、
（ｃ）前記画像表示装置が、受信した前記ユーザーによる指令に応じて、選択された前記供給画像を、指定されたレイアウトによって表示する工程と、
を備え、
前記操作用画像は、
前記複数の供給画像のうちの表示候補となる候補画像を表す識別画像を配列して表示する候補画像表示領域と、
前記画像表示装置によって実際に表示される候補画像の識別画像を他の識別画像と区別して示す選択枠と、
を含み、
前記選択枠は、前記候補画像表示領域内における表示位置、または、前記選択枠内に含まれる候補画像の数、が異なる予め設定された複数の表示パターンのうちの１つの表示パターンから他の表示パターンへと変化する、画像表示方法。
【発明の詳細な説明】
【技術分野】
【０００１】
この発明は、画像表示システムに関する。
【背景技術】
【０００２】
複数の信号供給源のそれぞれから画像信号の供給を受け、その供給された各画像信号が表す画像（「供給画像」と呼ぶ）を単一の画像表示部に分割レイアウトして表示する画像表示システムが知られている（下記特許文献１など）。このような画像表示システムは、例えば、会議やプレゼンテーションの場などにおいて、各参加者が使用するパーソナルコンピューターの表示画面を各参加者に共通の表示画面において視認させるために利用される。
【０００３】
ここで、上記のような画像表示システムでは、複数の画像信号供給源からの供給画像のうち、表示対象となる供給画像を任意に選択し、その表示対象となる供給画像の数に応じて分割レイアウトを適宜変更できることが好ましい。また、このような表示対象となる供給画像を選択する操作や、分割レイアウト枠を変更するための操作は、よりユーザビリティの高い簡易な操作であることが好ましい。しかし、これまで、こうした要求に対して十分な工夫がなされてこなかったのが実情であった。
【先行技術文献】
【特許文献】
【０００４】
【特許文献１】特開２００１−３５６７５３号公報
【特許文献２】特開平９−２７１０２１号公報
【発明の概要】
【発明が解決しようとする課題】
【０００５】
本発明は、画像表示システムの操作性を向上させる技術を提供することを目的とする。
【課題を解決するための手段】
【０００６】
本発明は、上述の課題の少なくとも一部を解決するためになされたものであり、以下の形態又は適用例として実現することが可能である。本発明の一形態によれば、画像表示システムが提供される。この画像表示システムは、複数の画像供給装置と、前記複数の画像供給装置のそれぞれから供給される複数の供給画像の中から、１つ以上の供給画像を選択して表示する画像表示装置と、を備えて良い。前記複数の画像供給装置のそれぞれは、表示部と、前記画像表示装置によって表示される前記供給画像の選択と、選択された前記供給画像のレイアウトの指定と、をするための操作用画像を前記表示部に表示するとともに、前記操作用画像を介したユーザーによる指令を、前記画像表示装置に送信するインターフェイス部と、を備えて良い。前記操作用画像は、前記複数の供給画像のうちの表示候補となる候補画像を表す識別画像を配列して表示する候補画像表示領域と、前記画像表示装置によって実際に表示される候補画像の識別画像を他の識別画像と区別して示す選択枠と、を含み、前記選択枠は、前記候補画像表示領域内における表示位置、または、前記選択枠内に含まれる候補画像の数、が異なる予め設定された複数の表示パターンのいずれかによって表示され、ユーザーによるドラッグ操作に応じて前記複数の表示パターンのうちの１つの表示パターンから他の表示パターンへと変化し、前記画像表示装置は、前記選択枠内に含まれている前記候補画像を、前記選択パターンの表示パターンに応じたレイアウトによって表示して良い。
【０００７】
［適用例１］
画像表示システムであって、複数の画像供給装置と、前記複数の画像供給装置のそれぞれから供給される複数の供給画像の中から、１つ以上の供給画像を選択して表示する画像表示装置と、を備え、前記複数の画像供給装置のそれぞれは、表示部と、前記画像表示装置によって表示される前記供給画像の選択と、選択された前記供給画像のレイアウトの指定と、をするための操作用画像を前記表示部に表示するとともに、前記操作用画像を介したユーザーによる指令を、前記画像供給装置に送信するインターフェイス部と、を備え、前記インターフェイス部は、前記複数の供給画像のうち、表示候補となる候補画像を表す識別画像を配列して表示する候補画像表示領域と、前記候補画像表示領域内に表示された複数の識別画像の中から、前記画像表示装置によって実際に表示される候補画像を選択してレイアウトするために使用される選択枠と、を含む前記操作用画像を前記表示部に表示し、前記候補画像表示領域内における表示位置、または前記選択枠内に含まれる候補画像の数が異なる、予め設定された複数の表示パターンのいずれかを取るとともに、ユーザーによるドラッグ操作に応じて前記複数の表示パターンのうちの１つの表示パターンから他の表示パターンへと変化するように、前記選択枠を表示する、画像表示システム。
この画像表示システムによれば、ユーザーは、ドラッグ操作によって、選択枠の表示パターンを変更することができ、この変更により、表示対象となる供給画像の変更や、供給画像のレイアウトの指定が可能となる。従って、画像表示システムにおけるユーザーの操作性が向上する。
【０００８】
［適用例２］
適用例１記載の画像表示システムであって、前記ドラッグ操作は、前記選択枠内の画像領域をポインターによって指定して行う第１のドラッグ操作と、前記選択枠の枠上の位置をポインターによって指定して行う第２のドラッグ操作とを含み、前記インターフェイス部は、前記第１のドラッグ操作を受け付けたときには、前記選択枠を、表示位置が異なる表示パターンに変化させ、前記第２のドラッグ操作を受け付けたときには、前記選択枠を、前記選択枠内に含まれる候補画像の数が異なる表示パターンに変化させる、画像表示システム。
この画像表示システムによれば、ユーザーは、より直感的なドラッグ操作によって、選択枠の操作をすることができる。従って、画像表示システムにおけるユーザーの操作性が向上する。
【０００９】
［適用例３］
適用例１または適用例２記載の画像表示システムであって、前記候補画像表示領域には、前記識別画像が、前記画像表示装置による表示画像においてレイアウト可能な供給画像の個数だけ表示されている、画像表示システム。
この画像表示システムによれば、画像供給装置から画像表示装置に供給されている供給画像の数が、表示画像にレイアウト可能な供給画像の数より多い場合であっても、ユーザーは、投写対象となり得る供給画像を視覚的に把握することができる。従って、画像表示システムにおけるユーザーの利便性が向上する。
【００１０】
［適用例４］
表示部を有する複数の画像供給装置のそれぞれから供給される複数の供給画像の中から１つ以上の供給画像を選択して表示する画像表示装置であって、表示される前記供給画像の選択と、選択された前記供給画像のレイアウトの指定と、をするための操作用画像を、前記複数の画像供給装置の表示部に表示させるとともに、前記操作用画像を介したユーザーによる指令を前記複数の画像供給装置から受信するインターフェイス部を備え、前記インターフェイス部は、前記複数の供給画像のうち、表示候補となる候補画像を表す識別画像を配列して表示する候補画像表示領域と、前記候補画像表示領域内に表示された複数の識別画像の中から前記画像表示装置によって実際に表示される候補画像を選択してレイアウトするために使用される選択枠と、を含む前記操作用画像を前記表示部に表示させ、前記候補画像表示領域内における表示位置、または前記選択枠内に含まれる候補画像の数が異なる、予め設定された複数の表示パターンのいずれかを取るとともに、ユーザーによるドラッグ操作に応じて前記複数の表示パターンのうちの１つの表示パターンから他の表示パターンへと変化するように前記選択枠を表示させる、画像表示装置。
【００１１】
［適用例５］
表示部を有する複数の画像供給装置と、前記複数の画像供給装置のそれぞれから供給される複数の供給画像の中から１つ以上の供給画像を選択して表示する画像表示装置と、を備える画像表示システムにおける画像表示方法であって、（ａ）前記画像供給装置が、前記画像表示装置によって表示される前記供給画像の選択と、選択された前記供給画像のレイアウトの指定と、をするための操作用画像を、前記表示部に表示する工程と、（ｂ）前記画像供給装置が、前記操作用画像内に予め設けられた候補画像表示領域に、前記複数の供給画像のうち、表示候補となる候補画像を表す識別画像を配列して表示するとともに、表示された複数の識別画像の中から、前記画像表示装置によって実際に表示される候補画像を選択してレイアウトするために使用される選択枠を表示する工程と、（ｃ）前記画像供給装置が、前記候補画像表示領域内における表示位置、または前記選択枠内に含まれる候補画像の数が異なる予め設定された複数の表示パターンのいずれかを取るとともにユーザーによるドラッグ操作に応じて、前記複数の表示パターンのうちの１つの表示パターンから、他の表示パターンへと変化するように、前記選択枠を表示する工程と、（ｄ）前記画像供給装置が、前記操作用画像を介したユーザーによる指令を、前記画像表示装置に送信する工程と、（ｅ）前記画像表示装置が、受信した前記ユーザーによる指令に応じて、選択された前記供給画像を、指定されたレイアウトによって表示する工程と、を備える、画像表示方法。
【００１２】
なお、本発明は、種々の形態で実現することが可能であり、例えば、画像表示システム、その画像表示システムを構成するための画像表示装置、画像表示システムにおける画像表示方法や制御方法、これらのシステムや、装置、方法の機能を実現するためのコンピュータプログラム、そのコンピュータプログラムを記録した記録媒体等の形態で実現することができる。
【図面の簡単な説明】
【００１３】
【図１】画像表示システムの構成を示す概略図。
【図２】第１の画像供給装置の内部構成を示すブロック図。
【図３】画像表示装置の内部構成を示すブロック図。
【図４】操作ウィンドウを示す概略図と、投写スクリーンにおける投写画像の表示状態を模式図。
【図５】操作ウィンドウにおける画像選択枠の移動操作を説明するための模式図。
【図６】操作ウィンドウにおけるレイアウトモードの変更操作を説明するための模式図。
【図７】操作ウィンドウにおける他のレイアウトモードの変更操作を説明するための模式図。
【図８】表示候補画像一覧領域におけるその他の操作例を説明するための模式図。
【図９】表示候補画像一覧領域におけるその他の操作例を説明するための模式図。
【図１０】第２実施例における操作ウィンドウに対する操作を説明するための模式図。
【発明を実施するための形態】
【００１４】
A．第１実施例：
図１は本発明の一実施例としての画像表示システム１０００の構成を示す模式図である。この画像表示システム１０００は、５つの画像供給装置１００ａ〜１００ｅと、画像表示装置２００と、投写スクリーンＳＣとを備える。５つの画像供給装置１００ａ〜１００ｅはそれぞれ、画像表示装置２００と無線ＬＡＮを介して接続されている。各画像供給装置１００ａ〜１００ｅは、画像表示装置２００との間の接続を確立した後、自身が表示している表示画像をキャプチャーして生成した供給画像を表す画像信号を、画像表示装置２００へと送信する。画像表示装置２００は、各画像供給装置１００ａ〜１００ｅから供給された供給画像の中から選択された最大４つの供給画像を、投写スクリーンＳＣ上に分割レイアウトして同時に表示することができる。
【００１５】
なお、この画像表示システム１０００では、各画像供給装置１００ａ〜１００ｅの表示画像１０１ａ〜１０１ｅ上に、ユーザーによる操作を受け付けるための操作用画像である操作ウィンドウ３００が表示される。各画像供給装置１００ａ〜１００ｅの各ユーザーは、この操作ウィンドウ３００を介して、投写スクリーンＳＣ上の表示画像に対する操作を実行することが可能である。
【００１６】
図２は、第１の画像供給装置１００ａの内部構成を示すブロック図である。なお、他の第２ないし第５の画像供給装置１００ｂ〜１００ｅの内部構成も同様であるため、その図示および説明は省略する。第１の画像供給装置１００ａは、例えばオペレーティングシステムとしてＷｉｎｄｏｗｓ（登録商標）を搭載するパーソナルコンピューターやノートパソコンなどの情報処理装置によって構成することができる。具体的には、第１の画像供給装置１００ａは、中央処理装置（ＣＰＵ）１１０と、ハードディスクドライブ（ＨＤ）１２０と、描画用メモリー（ＶＲＡＭ）１３０と、ランダムアクセスメモリー（ＲＡＭ）１４０とを備える。また、第１の画像供給装置１００ａは、さらに、操作部１５０と、表示部１６０と、無線ＬＡＮインターフェイス（ＩＦ）１７０とを備える。これらの各構成部１１０〜１７０は、バス１８０を介して互いに接続されている。
【００１７】
ＣＰＵ１１０は、各種演算処理を実行する論理回路であり、ＨＤ１２０などの外部記憶装置に格納されているプログラムやモジュールを、主記憶装置であるＲＡＭ１４０に展開して実行する。ＲＡＭ１４０は、揮発性のメモリーであり、ＣＰＵ１１０の演算結果や、画像表示装置２００に供給する供給画像データなどを一時的に格納する。ＶＲＡＭ１３０は、データに基づいて描画された表示画像のデータを展開し、一時的にバッファしておくためのメモリーであり、一般的に、ＲＡＭ１４０より高速なデータの読み書きが可能である。
【００１８】
操作部１５０は、例えば、マウスや、キーボード、タッチパッドなどによって構成され、第１の画像供給装置１００ａのユーザーからの操作を受け付ける。表示部１６０は、例えば液晶ディスプレイなどによって構成され、ＶＲＡＭ１３０に保持される内容に基づいて画像を表示する。無線ＬＡＮ／ＩＦ１７０は、第１の画像供給装置１００ａと外部機器とを無線によって接続するためのインターフェイスである。第１の画像供給装置１００ａは、無線ＬＡＮ／ＩＦ１７０を介して、画像表示装置２００と信号のやりとりを実行する。
【００１９】
ＨＤ１２０には、画像供給プログラムＰ１が格納されている。画像供給プログラムＰ１は、画像表示装置２００に供給する供給画像データを生成して送信するとともに、投写スクリーンＳＣの表示状態を変更操作するためのインターフェイスをユーザーに提供する。なお、画像供給プログラムＰ１は、予め画像供給装置１００ａ〜１００ｅにインストールされているものとしても良いし、画像表示装置２００と接続する際に、画像表示装置２００から各画像供給装置１００ａ〜１００ｅに読み出され実行されるものとしても良い。
【００２０】
画像供給プログラムＰ１は、画像キャプチャーモジュールＭ１と、供給画像生成モジュールＭ２と、通信制御モジュールＭ３と、ユーザーインターフェイスモジュールＭ４とを有する。画像キャプチャーモジュールＭ１は、ＶＲＡＭ１３０から、表示部１６０に表示されている画像データを取得（キャプチャー）する。
【００２１】
供給画像生成モジュールＭ２は、画像キャプチャーモジュールＭ１が取得した画像データを用いて、画像表示装置２００に供給するための供給画像を生成する。なお、供給画像生成モジュールＭ２は、表示部１６０に表示されている画像１０１ａから操作ウィンドウ３００（図１）を除いた画像を供給画像として生成するものとしても良い。また、供給画像生成モジュールＭ２は、表示部１６０に表示された画像１０１ａのうち、ユーザーによって予め選択された領域のみをトリミングした画像を供給画像として生成するものとしても良い。
【００２２】
通信制御モジュールＭ３は、無線ＬＡＮ／ＩＦ１７０を制御して、画像表示装置２００との間の通信を制御する。具体的には、通信制御モジュールＭ３は、画像表示装置２００の機種情報を取得して、画像表示装置２００との間の接続を確立する。ここで、「画像表示装置２００の機種情報」には、画像表示装置２００を特定するための識別情報や、画像表示装置２００の画像表示特性に関する情報（例えば、表示可能な最大解像度や、カラープロファイルなど）が含まれる。また、通信制御モジュールＭ３は、供給画像生成モジュールＭ２が生成した供給画像のデータを画像表示装置２００へと送信する。
【００２３】
ユーザーインターフェイスモジュールＭ４は、表示部１６０に、前記したユーザーインターフェイス用の画像である操作ウィンドウ３００を表示し、操作ウィンドウ３００を介して、ユーザーの操作を受け付ける。操作ウィンドウ３００を介して受け付けたユーザーからの指示は、通信制御モジュールＭ３が、画像表示装置２００へと送信する。操作ウィンドウ３００に対してユーザーが行える操作の具体的な内容については後述する。また、ユーザーインターフェイスモジュールＭ４は、画像表示装置２００から送信される操作ウィンドウ３００についての更新情報（後述）を取得するとともに、操作ウィンドウ３００の表示内容を更新する。
【００２４】
図３は、画像表示装置２００の内部構成を示すブロック図である。画像表示装置２００は、プロジェクターによって構成される。画像表示装置２００は、ＣＰＵ２１０と、不揮発性メモリーであるＥＥＰＲＯＭ２２０と、ＲＡＭ２３０と、ＶＲＡＭ２４０と、操作部２５０と、画像表示部２６０と、光学系２７０と、無線ＬＡＮ／ＩＦ２８０とを備えている。これらの各構成部２１０〜２８０は、バス２９０を介して互いに接続されている。
【００２５】
ＣＰＵ２１０は、各種演算処理を実行する論理回路であり、ＥＥＰＲＯＭ２２０に格納されているプログラムやモジュールをＲＡＭ２３０に展開して実行する。ＲＡＭ２３０は、ＣＰＵ２１０の演算結果を一時的に格納する。ＶＲＡＭ２４０は、表示用画像データに基づいて生成された描画データ（例えば、ビットマップ方式で配置された画素値のデータ）を一時的にバッファするためのメモリーである。操作部２５０は、操作ボタンやタッチパネルなどによって構成され、投写画像のズームやフォーカスをはじめとする投写画像の表示状態の調整など、ユーザーによる画像表示装置２００に関する各種の操作を受け付ける。
【００２６】
画像表示部２６０は、ＶＲＡＭ２４０に格納されている描画データに基づいて、液晶パネルや、デジタル・マイクロミラー・デバイス（ＤＭＤ）を用いて、光源から射出された光を変調し、投写用の画像を生成する。光学系２７０は、複数のレンズによって構成され、画像表示部２６０によって生成された画像を、サイズやフォーカスを調整して投写スクリーンＳＣに投写する。無線ＬＡＮ／ＩＦ２８０は、画像表示装置２００と外部機器とを無線によって接続するためのインターフェイスである。画像表示装置２００は、無線ＬＡＮ／ＩＦ２８０を介して、各画像供給装置１００ａ〜１００ｅとの信号のやりとりを実行する。
【００２７】
ＥＥＰＲＯＭ２２０には、画像表示装置２００を制御するための制御プログラムＰ２０が格納されている。制御プログラムＰ２０は、画像取得モジュールＭ２１と、表示画像生成モジュールＭ２３と、表示画像出力モジュールＭ２４と、更新情報生成モジュールＭ２５と、通信制御モジュールＭ２６とを有している。画像取得モジュールＭ２１は、通信制御モジュールＭ２６と連携して、各画像供給装置１００ａ〜１００ｅから供給される供給画像を取得する。表示画像生成モジュールＭ２３は、各画像供給装置１００ａ〜１００ｅから取得した供給画像をユーザーの指示に応じてレイアウトした投写用の画像（表示画像）を生成する。
【００２８】
ここで、この画像表示装置２００では、表示画像における供給画像のレイアウトのパターンが、複数のレイアウトモードとして予め設定されている。表示画像生成モジュールＭ２３は、ユーザーによって選択されたレイアウトモードに応じて表示画像データを生成する。具体的に、単画像レイアウトモードと、２分割レイアウトモードと、４分割レイアウトモードとがある。「単画像レイアウトモード」とは、１つの供給画像のみをレイアウト可能なレイアウトモードであり、「２分割レイアウトモード」とは、２つの供給画像を並列にレイアウト可能なレイアウトモードである。また、「４分割レイアウトモード」とは、４つの供給画像を２行２列にレイアウト可能なレイアウトモードである。
【００２９】
表示画像出力モジュールＭ２４は、表示用画像を表す画像データに基づいて描画データを生成し、ＶＲＡＭ２４０に格納する。更新情報生成モジュールＭ２５は、画像表示装置２００に送信されてきたユーザーによる操作ウィンドウ３００への操作内容に基づき、操作ウィンドウ３００の表示内容を更新するための更新情報を生成する。この更新情報は、画像表示装置２００に接続する各画像供給装置１００ａ〜１００ｅに適宜配信される。即ち、この画像表示システム１０００では、この更新情報の生成・配信によって、各画像供給装置１００ａ〜１００ｅ間における操作ウィンドウ３００の表示内容の同期が実行される。
【００３０】
通信制御モジュールＭ２６は、無線ＬＡＮ／ＩＦ２８０を制御して、各画像供給装置１００ａ〜１００ｅとの間の通信を制御する。具体的には、通信制御モジュールＭ２６は、機種情報の送信などの通信経路確立のための処理や、供給画像の受信、各画像供給装置１００ａ〜１００ｅにおけるユーザーに関する情報の取得、前記の更新情報の配信などを実行する。
【００３１】
図４（Ａ）は、各画像供給装置１００ａ〜１００ｅにおいて表示される操作ウィンドウ３００を示す概略図である。操作ウィンドウ３００は、各画像供給装置１００ａ〜１００ｅの表示部１６０に表示されるポインター１０によって操作することが可能である。各画像供給装置１００ａ〜１００ｅのユーザーは、この操作ウィンドウ３００を操作することにより、投写スクリーンＳＣに表示される供給画像を選択したり、投写スクリーンＳＣの表示画像におけるレイアウトモードを変更することができる。
【００３２】
操作ウィンドウ３００は、レイアウトモード表示領域３１０と、ログインユーザー一覧領域３２０と、表示候補画像一覧領域３３０とを有している。具体的には、レイアウトモード表示領域３１０と表示候補画像一覧領域３３０とが、ログインユーザー一覧領域３２０の上段の表示領域に左右に並列に設けられており、ログインユーザー一覧領域３２０が、操作ウィンドウ３００の最下段の表示領域に設けられている。
【００３３】
レイアウトモード表示領域３１０は、現在選択されているレイアウトモードをユーザーに視認させるための表示領域である。前記したとおり、画像表示システム１０００は、３つのレイアウトモードを有している。レイアウトモード表示領域３１０には、それら３つのレイアウトモードのそれぞれに対応するアイコン画像３１１〜３１３が表示されている。具体的には、レイアウトモード表示領域３１０には、単画像レイアウトモードを示す第１のアイコン画像３１１と、２分割レイアウトモードを示す第２のアイコン画像３１２と、４分割レイアウトモードを示す第３のアイコン画像３１３とが表示されている。
【００３４】
レイアウトモード表示領域３１０では、これらのアイコン画像３１１〜３１３のうち、現在選択されているレイアウトモードに対応するものについては、表示色を変えるなど、その表示状態を変更した上で表示される。図４（Ａ）では、第１のアイコン画像３１１にハッチングを付し、単画像レイアウトモードが選択されている状態が例示されている。
【００３５】
ログインユーザー一覧領域３２０は、各画像供給装置１００ａ〜１００ｅを介して、画像表示装置２００にログインしているユーザーを一覧表示するための表示領域である。ログインユーザー一覧領域３２０には、ユーザーが各画像供給装置１００ａ〜１００ｅのうちのいずれかを介して画像表示装置２００にログインするごとに、ログインしたユーザーを識別することができる情報（「ユーザー識別情報」とも呼ぶ）が追加表示されていく。図４（Ａ）では、各画像供給装置１００ａ〜１００ｅを介して５人のユーザーが、画像表示装置２００にログインしているときの状態が例示されている。
【００３６】
ここで、ユーザー識別情報としては、例えば、ユーザー名やユーザーごとに予め設定されたアイコン画像などが含まれる。ユーザー識別情報は、画像表示装置２００と各画像供給装置１００ａ〜１００ｅとの間の接続の確立の際のやりとりにおいて、画像表示装置２００の通信制御モジュールＭ２６（図３）が取得する。また、ユーザー識別情報は、画像表示装置２００へのログイン／ログアウトが発生するたびに、操作ウィンドウ３００の更新情報として、各画像供給装置１００ａ〜１００ｅへと配信される。
【００３７】
本実施例では、ユーザー識別情報として、ログインユーザー一覧領域３２０に、ユーザー名（「ＵＳＥＲ１」〜「ＵＳＥＲ５」として図示）が表示されるとともに、供給画像を表すサムネイル画像が各ユーザー名と対応するように表示される。これらのサムネイル画像は、各画像供給装置１００ａ〜１００ｅからの供給画像を縮小することによって作成される。即ち、本実施例では、ログインユーザー一覧領域３２０は、画像表示装置２００に供給されている全ての供給画像をユーザーが一覧するための画像領域としても機能している。また、このユーザー識別情報は、画像表示装置２００に供給されている各供給画像を識別するための識別情報であると解釈することも可能である。
【００３８】
なお、これらのサムネイル画像は、画像表示装置２００の更新情報生成モジュールＭ２５（図３）によって生成される。そして、各サムネイル画像は、操作ウィンドウ３００の更新情報として、通信制御モジュールＭ２６によって、接続する全ての画像供給装置１００ａ〜１００ｅに対して定期的に配信される。
【００３９】
ところで、前記したとおり、本実施例の画像表示システム１０００では、最大４つの供給画像を投写スクリーンＳＣに分割レイアウトして表示することが可能である。しかし、画像表示装置２００には、４つ以上の供給画像が供給される場合がある（図４（Ａ））。そこで、この画像表示システム１０００では、画像表示装置２００に供給されている全ての供給画像のうちから、最大４つの供給画像を、投写スクリーンＳＣに投写表示する表示候補画像として予め登録しておくことができる。そして、画像表示システム１０００では、画像表示装置２００にログインしている各ユーザーが、操作ウィンドウ３００の表示候補画像一覧領域３３０を用いて、そうした表示候補画像の登録操作を実行することができる。さらに、画像表示システム１０００では、表示候補画像一覧領域３３０を用いて、登録された表示候補画像のうちから、実際に投写スクリーンＳＣに投写するための画像を選択する操作が可能であり、投写の際のレイアウトモードを選択する操作も可能である。
【００４０】
表示候補画像一覧領域３３０は、２行２列の配置構成を有する第１ないし第４のサムネイル画像領域３３１〜３３４を有している。具体的には、第１と第２のサムネイル画像領域３３１，３３２がそれぞれ、表示候補画像一覧領域３３０の上段において、画面左右方向に並列に設けられている。また、第３と第４のサムネイル画像領域３３３，３３４はそれぞれ、表示候補画像一覧領域３３０の下段において、画面左右方向に並列に設けられている。なお、表示候補画像一覧領域３３０におけるこれら４つのサムネイル画像領域３３１〜３３４の配置構成は、４分割レイアウトモードにおける表示画像の分割レイアウト枠に対応している。
【００４１】
各ユーザーは、以下の操作によって、表示候補画像の登録を実行することができる。即ち、ユーザーは、ポインター１０を用いて、ログインユーザー一覧領域３２０に表示されているサムネイル画像のうちから、登録対象であるサムネイル画像を、上記の４つのサムネイル画像領域３３１〜３３４のうちのいずれかにドラッグアンドドロップする。これによって、ドラッグアンドドロップされたサムネイル画像が表す供給画像が表示候補画像として登録される。なお、表示候補画像一覧領域３３０には、表示候補画像として登録された供給画像のサムネイル画像がドロップされたサムネイル画像領域内に表示される。即ち、表示候補画像一覧領域３３０は、表示候補画像として登録された供給画像を各ユーザーが一覧できるように表示するための表示領域として機能する。
【００４２】
図４（Ａ）では、登録操作の一例として、３つのサムネイル画像が、表示候補画像一覧領域３３０にドラッグアンドドロップされて表示画像候補として登録された状態が模式的に示されている。具体的には、第１と第２の画像供給装置１００ａ，１００ｂおよび第３の画像供給装置１００ｃのそれぞれから供給された３つの供給画像のサムネイル画像が、表示候補画像一覧領域３３０の３つのサムネイル画像領域３３１，３３２，３３４に表示示されている。ここで、この例では、第３のサムネイル画像領域３３３には、表示候補画像が割り当てられていないため、その旨を示す「Ｎｏ  Ｕｓｅｒ」のメッセージが第３のサムネイル画像領域３３３に表示されている。
【００４３】
なお、操作ウィンドウ３００では、表示候補画像一覧領域３３０に表示されたサムネイル画像を、外に向かってドラッグアンドドロップした場合には、当該サムネイル画像が表す供給画像は、表示候補画像の登録が抹消される。また、ログインユーザー一覧領域３２０のサムネイル画像が、表示候補画像一覧領域３３０に表示されたサムネイル画像に重ねてドラッグアンドドロップされたときには、表示候補画像の登録が入れ替えられる。
【００４４】
ここで、表示候補画像一覧領域３３０には、さらに、表示候補画像のうちから投写スクリーンＳＣに投写表示される画像を選択するための画像選択枠３３５が表示されている。図４（Ａ）では、画像選択枠３３５を一点鎖線で示し、画像選択枠３３５によって囲まれた領域にハッチングを付してある。画像表示システム１０００では、画像選択枠３３５によって囲まれた領域に含まれるサムネイル画像が表す供給画像が投写スクリーンＳＣに表示される。
【００４５】
図４（Ａ）では、画像選択枠３３５は、第１のサムネイル画像領域３３１上に表示されており、第１の画像供給装置１００ａからの供給画像が投写対象として選択されている状態が例示されている。図４（Ｂ）は、投写スクリーンＳＣにおける投写画像の表示状態を示す模式図である。図４（Ａ）に示す操作ウィンドウ３００の状態のとき、投写スクリーンＳＣには、単画像レイアウトモードによって、第１の画像供給装置１００ａからの供給画像が投写表示される。
【００４６】
図５（Ａ），（Ｂ）は、操作ウィンドウ３００における画像選択枠３３５の移動操作を説明するための模式図である。図５（Ａ）は、画像選択枠３３５の表示位置が異なる点と、ポインター１０によるドラッグ操作が模式的に示されている点以外は、図４（Ａ）とほぼ同じである。図５（Ｂ）は、投写スクリーンＳＣに表示されている供給画像が異なる点以外は、図４（Ｂ）とほぼ同じである。操作ウィンドウ３００では、各ユーザーが、ポインター１０によって、画像選択枠３３５の外周枠より内側の表示領域を指定してドラッグ操作をすることにより、画像選択枠３３５の位置をドラッグ操作された方向へと移動させることが可能である。
【００４７】
図５（Ａ）では、このドラッグ操作により、第１のサムネイル画像領域３３１に表示されていた画像選択枠３３５を、第２のサムネイル画像領域３３２上へと移動させたときの状態が模式的に示されている。このように、画像選択枠３３５の表示位置を移動させたことにより、投写対象となる供給画像は、第２のサムネイル画像領域３３２に表示されているサムネイル画像が表す供給画像となる（図５（Ｂ））。
【００４８】
画像選択枠３３５は、ポインター１０を用いた各ユーザーの同様のドラッグ操作によって、各サムネイル画像領域３３１〜３３４の上に任意に移動させることが可能である。そして、この画像選択枠３３５の移動位置に応じて、投写スクリーンＳＣの表示内容が変更される。なお、図５（Ａ）に示す「Ｎｏ  Ｕｓｅｒ」の表示がされている第３のサムネイル画像領域３３３に画像選択枠３３５を移動させたときには、投写スクリーンＳＣは非表示の状態となる。
【００４９】
ここで、前記したとおり、画像表示システム１０００では、３つのレイアウトモードを有しており、レイアウトモードごとに投写スクリーンＳＣに表示する供給画像の数が異なる。上記の図４および図５では、単画像レイアウトモードにおける画像選択枠３３５の操作を説明した。操作ウィンドウ３００では、画像選択枠３３５の形状を変更させる操作を実行し、画像選択枠３３５内に含まれるサムネイル画像の数を増減させることにより、レイアウトモードの変更を実行することが可能である。具体的には、以下のようにレイアウト変更操作を実行することができる。
【００５０】
図６（Ａ）〜（Ｃ）は、操作ウィンドウ３００におけるレイアウトモードの変更操作を説明するための模式図であり、単画像レイアウトモードと２分割レイアウトモードとの切替操作を段階的に示している。図６（Ａ）は、ポインター１０の形状が変更されている点以外は、図５（Ａ）とほぼ同じである。操作ウィンドウ３００では、画像選択枠３３５の外周枠の上にポインター１０を移動させると、ポインター１０の形状が変化することにより、形状の変化したポインター１０によって、当該外周枠のドラッグ操作が可能であることをユーザーに示す。図６（Ａ）では、ポインター１０は、表示画面上の左右方向を示す矢印形状となっている。これは、ポインター１０の下に存在する画像選択枠３３５の外周枠を同方向へとドラッグすることが可能であることを示している。
【００５１】
図６（Ｂ）は、画像選択枠３３５の外周枠を画面左側にドラッグすることにより、画像選択枠３３５の形状が変化した状態を示している。このポインター１０によるドラッグ操作によって、画像選択枠３３５は、第１と第２のサムネイル画像領域３３１，３３２に跨る横長の長方形形状に変化する。即ち、投写対象となる供給画像は、これら２つのサムネイル画像領域３３１，３３２に表示されたサムネイル画像となり、レイアウトモードは、単画像レイアウトモードから２分割レイアウトモードへと切り替えられる。図６（Ｃ）はレイアウトモードが変更された後の投写スクリーンＳＣにおける画像の表示状態を示している。このように、投写スクリーンＳＣには、画像選択枠３３５によって選択された２つの供給画像が、画面上において左右並列に分割レイアウトされて表示される。
【００５２】
なお、画像選択枠３３５の外周枠に対して、図６（Ａ），（Ｂ）における説明とは逆のドラッグ操作を実行することによって、２分割レイアウトモードから単画像レイアウトモードへと切り替えることも可能である。また、図６（Ｂ）に示す操作ウィンドウ３００の状態のときに、画像選択枠３３５は、図５で説明したポインター１０によるドラッグ操作によって、表示候補画像一覧領域３３０内において上下方向に移動させることができる。この操作によって、２分割レイアウトモードにおける投写対象が変更される。
【００５３】
図７（Ａ）〜（Ｃ）は、操作ウィンドウ３００における他のレイアウトモードの変更操作を説明するための模式図である。図７（Ａ），（Ｂ）はそれぞれ、異なるレイアウトモードの変更操作を示す画面遷移図である。図７（Ｃ）は、図７（Ａ），（Ｂ）で説明するそれぞれの操作の後の投写スクリーンＳＣにおける表示画像を示す模式図である。なお、図７（Ａ），（Ｂ）には、説明の便宜上、操作ウィンドウ３００のうちの表示候補画像一覧領域３３０のみが図示され、他の表示領域の図示は省略されている。
【００５４】
図７（Ａ）には、２分割レイアウトモードから４分割レイアウトモードへのレイアウトモードの変更操作が示してある。画像選択枠３３５が、図６で説明した横長の形状であるときに、その底辺に該当する外周枠をポインター１０によって画面下方にドラッグする。すると、画像選択枠３３５の形状は、４つのサムネイル画像領域３３１〜３３４を覆うように拡大される。これによって、投写スクリーンＳＣへの表示画像が４分割レイアウトモードに切り替わり、表示候補画像として登録された４つの供給画像が、２行２列の配置構成で表示画面上に分割レイアウトされる（図７（Ｃ））。
【００５５】
なお、２分割レイアウトモードにおいて、画像選択枠３３５が第３と第４のサムネイル画像領域３３３，３３４に位置している場合であっても、同様に、４分割レイアウトモードへの切り替えが可能である。具体的には、この場合には、画像選択枠３３５の上辺に該当する外周枠を指定して画面上方へとドラッグする。また、４分割レイアウトモードにおける画像選択枠３３５に対して、上記と逆のドラッグ操作を実行することにより、２分割レイアウトモードへと切り替えることができる。
【００５６】
図７（Ｂ）には、単画像レイアウトモードから４分割レイアウトモードへのレイアウトモードの変更操作が示してある。単画像レイアウトモードにおける画像選択枠３３５が第１のサムネイル画像領域３３１に位置しているときに、ポインター１０を表示候補画像一覧領域３３０の中央に位置する画像選択枠３３５の角部に配置する。このとき、ポインター１０の形状は、図のように変化する。この状態で、当該角部を、画面右斜め下方向にドラッグする。このドラッグ操作によって、画像選択枠３３５は、第１ないし第４のサムネイル画像領域３３１〜３３４を覆うように、その４辺が拡大する。そして、投写スクリーンＳＣにおける表示画像のレイアウトモードが、４分割レイアウトモードへと切り替えられる（図７（Ｃ））。
【００５７】
なお、単画像レイアウトモードにおける画像選択枠３３５が、第２ないし第４のサムネイル画像領域３３２〜３３４のいずれかに位置している場合であっても同様に、角部に対するドラッグ操作によって、４分割レイアウトモードに切り替えることができる。また、４分割レイアウトモードにおける画像選択枠３３５の角部に対して、上記と逆のドラッグ操作を実行することにより、４分割レイアウトモードから単画像レイアウトモードへと切り替えることができる。
【００５８】
図８，図９は、表示候補画像一覧領域３３０におけるその他の操作例を説明するための模式図である。図８（Ａ），（Ｂ）は、図６とは異なる単画像レイアウトモードから２分割レイアウトモードへの変更操作を説明するための模式図である。図８（Ａ）は、図７（Ａ），（Ｂ）と同様な、表示候補画像一覧領域３３０のみが図示された画面遷移図である。また、図８（Ｂ）は、投写スクリーンＳＣにおける表示画像の表示状態を示す模式図である。
【００５９】
ここで、図６では、単画像レイアウトモードにおける画像選択枠３３５を横長の長方形形状へと変更することにより、表示画像は、左右並列に供給画像がレイアウトされた２分割レイアウトモードへと変更されていた。しかし、画像表示システム１０００では、表示画像を以下のような２分割レイアウトモードへと変更することも可能である。
【００６０】
図８（Ａ）には、単画像レイアウトモードにおける画像選択枠３３５が、表示候補画像一覧領域３３０の第１のサムネイル画像領域３３１に位置している状態が例示してある。この状態のときに、ポインター１０によって、画像選択枠３３５の底辺に該当する外周枠を画面下方にドラッグ操作する。すると、画像選択枠３３５の形状は、第１と第３のサムネイル画像領域３３１，３３３に跨る縦長の長方形形状へと変化する。これによって、投写スクリーンＳＣの表示画像におけるレイアウトモードは２分割レイアウトモードに切り替わる。ただし、この操作の場合には、投写表示対象として選択された２つの供給画像は、上下方向に並列に分割レイアウトされて表示される（図８（Ｂ））。
【００６１】
この２分割レイアウトモードへの変更操作は、単画像レイアウトモードにおける画像選択枠３３５が、第２ないし第４のサムネイル画像領域３３２〜３３４に位置している場合においても同様に実行することが可能である。また、この２分割レイアウトモードへの変更操作は、４分割レイアウトモードが選択されている状態においても、画像選択枠３３５を縦長の長方形形状に縮小するドラッグ操作によって実行することが可能である。なお、画像選択枠３３５を、縦長の長方形形状に変形する操作が行われる場合であっても、図６（Ｃ）で説明した画面左右方向に並列に２つの供給画像を分割レイアウトされる２分割レイアウトモードによる表示がなされるものとしても良い。
【００６２】
ところで、ここまでの説明からも理解できるように、画像選択枠３３５は、予め設定された複数の表示パターンのいずれかによってのみ表示される。具体的に、画像選択枠３３５の表示パターンとしては、表示候補画像一覧領域３３０における表示位置と、枠内に表示されるサムネイル画像の個数と、のうちの少なくとも一方が異なる表示パターンが設定されている。そして、画像選択枠３３５は、ユーザーによる１回のドラッグ操作に応じて、それらの複数の表示パターンのうちの１つの表示パターンから他の表示パターンへと変化する。このように、本実施例の画像表示システム１０００では、１回のドラッグ操作で、画像選択枠３３５の位置や形状の変更を可能とすることにより、表示対象である供給画像の変更やレイアウトモードの指定が可能である。
【００６３】
図９（Ａ），（Ｂ）は、表示候補画像一覧領域３３０におけるサムネイル画像の配置位置の変更操作を説明するための画面遷移図である。図９（Ａ），（Ｂ）にはそれぞれ、図８（Ａ）と同様に、表示候補画像一覧領域３３０の画面遷移のみが図示されている。操作ウィンドウ３００では、表示候補画像一覧領域３３０に表示されたサムネイル画像を、他のサムネイル画像が表示されている位置にドラッグアンドドロップすることにより、それらのサムネイル画像の表示位置を互いに入れ替えることができる（図９（Ａ））。この操作によって、画像選択枠３３５に対するドラッグ操作によらず、投写スクリーンＳＣへの投写対象となる供給画像を変更することが可能となる。
【００６４】
ここで、画像選択枠３３５の外周枠内のサムネイル画像に対して上記のような配置位置を変更するためのドラッグ操作を実行する場合を想定する（図９（Ｂ））。この場合には、ドラッグ操作の対象オブジェクトが、画像選択枠３３５であるのか、サムネイル画像であるのかの識別が困難となる可能性がある。そこで、本実施例の操作ウィンドウ３００では、画像選択枠３３５の枠内に表示されているサムネイル画像に対するドラッグ操作の際の操作対象オブジェクトの指定方法を、画像選択枠３３５に対するドラッグ操作の際の指定方法と異なる方法とする。
【００６５】
即ち、画像選択枠３３５に対してドラッグ操作をする場合には、ドラッグ操作のためのマウス操作は、マウスのボタンを１度押下（ワンクリック）して、マウスを移動させる操作とする。一方、画像選択枠３３５内のサムネイル画像に対してドラッグ操作をする場合には、ドラッグ操作のためのマウス操作は、マウスのボタンを２度押下（ダブルクリック）して、マウスを移動させる操作とする。これによって、画像選択枠３３５とサムネイル画像とが重なって表示されている場合であっても、それぞれに対するドラッグ操作を確実に区別して実行することが可能となる。
【００６６】
このように、本実施例の画像表示システム１０００によれば、操作ウィンドウ３００によって、ユーザーにとっての操作性（ユーザビリティ）が向上している。また、本実施例の画像表示システム１０００であれば、各画像供給装置１００ａ〜１００ｅの表示部１６０に、表示内容が同期された操作ウィンドウ３００が表示されている。そのため、各画像供給装置１００ａ〜１００ｅのユーザーはそれぞれ、対等の立場で、投写スクリーンＳＣの表示画像に対する操作を実行することができる。従って、この画像表示システム１０００を用いることにより、多数の参加者が画像を用いて議論や発表をする会議やプレゼンテーションなどを、より効果的に運営することが可能となる。
【００６７】
B．第２実施例：
図１０は、本発明の第２実施例としての画像表示システムにおける操作ウィンドウに対する操作を説明するための模式図である。図１０には、入力デバイスであるマウス５のドラッグ操作を模式的に示す図と、表示候補画像一覧領域３３０における画像選択枠３３５の表示パターンの遷移図とが並列に図示されている。第２実施例の画像表示システムは、画像選択枠３３５に対するユーザーの操作方法が異なる点以外は、第１実施例で説明した画像表示システム１０００と同じである。
【００６８】
マウス５は、各画像供給装置１００ａ〜１００ｅに備え付けられている。各ユーザーは、このマウス５を用いてポインター１０を操作可能であり、これによって、操作ウィンドウ３００に対するドラッグ操作を実行することができる。ここで、第２実施例の画像表示システムでは、画像選択枠３３５の枠内の表示領域を指定したマウス５によるドラッグ操作を実行すると、そのドラッグ操作によってマウス５を移動させた距離に応じて、画像選択枠３３５の表示パターンが巡回的に変化していく。これらの画像選択枠３３５の表示パターンは、第１実施例で説明した表示パターンと同じであり、表示候補画像一覧領域３３０における表示位置と、枠内に表示されるサムネイル画像の個数と、のうちの少なくとも一方が異なる表示パターンである。なお、マウス５が、いわゆるホイールマウスである場合には、ホイールの回転量に応じて、画像選択枠３３５の表示パターンを巡回的に変化させることができるものとしても良い。
【００６９】
このように、第２実施例の画像表示システムであれば、第１実施例と同様に、操作ウィンドウ３００の表示候補画像一覧領域３３０に対するユーザーによる一回のドラッグ操作によって、表示対象である供給画像の変更や、レイアウトモードの切替が可能である。なお、第１実施例の画像表示システム１０００では、画像選択枠３３５の移動のためのドラッグ操作と、形状変更のためのドラッグ操作とを、ポインター１０によって指定する表示領域の相違によって区別して受け付けていた。また、第１実施例では、画像選択枠３３５の移動は、ドラッグ操作の方向に応じて実行され、形状の変更は、ドラッグ操作の方向に応じて、外周枠を移動させることにより実行されていた。即ち、第１実施例の画像表示システム１０００の方が、ユーザーは、画像選択枠３３５をより直感的に操作することが可能であるといえる。
【００７０】
C．変形例：
なお、この発明は上記の実施例や実施形態に限られるものではなく、その要旨を逸脱しない範囲において種々の態様において実施することが可能であり、例えば次のような変形も可能である。
【００７１】
C1．変形例１：
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。また、例えば、ユーザーインターフェイスモジュールＭ４の機能の一部を他のモジュールが実行するようにすることもできる。
【００７２】
C2．変形例２：
上記実施例において、画像表示装置２００には、５つの画像供給装置１００ａ〜１００ｅが接続していた。しかし、画像表示装置２００には、さらに複数の画像供給装置が接続するものとしても良い。
【００７３】
C3．変形例３：
上記実施例において、画像供給装置１００ａ〜１００ｅは情報処理装置によって構成されていた。しかし、画像供給装置１００ａ〜１００ｅは、情報処理装置でなくとも良く、画像信号を生成して外部へと送信することができる装置であればよい。例えば、ビデオプレイヤーや、ＤＶＤプレイヤーなどの画像再生装置であるものとしても良い。
【００７４】
C4．変形例４：
上記実施例において、画像表示装置２００は、投写スクリーンＳＣに画像を投写表示するプロジェクターによって構成されていた。しかし、画像表示装置２００は、他の方法により表示画像を形成する装置によって構成されるものとしても良い。例えば、画像表示装置２００は、液晶テレビやプラズマテレビによって構成されるものとしても良い。
【００７５】
C5．変形例５：
上記実施例において、操作ウィンドウ３００は、レイアウトモード表示領域３１０と、ログインユーザー一覧領域３２０とを有していた。しかし、レイアウトモード表示領域３１０と、ログインユーザー一覧領域３２０とは省略されるものとしても良い。ログインユーザー一覧領域３２０が省略される場合には、画像表示装置２００との接続が確立された順で、表示候補画像一覧領域３３０に表示候補画像として登録されるものとしても良い。
【００７６】
C6．変形例６：
上記実施例において、操作ウィンドウ３００のログインユーザー一覧領域３２０および表示候補画像一覧領域３３０には、供給画像の内容を表すサムネイル画像が表示されていた。しかし、これらの画像領域３２０，３３０には、供給画像のサムネイル画像に換えて、他の画像が表示されるものとしても良い。即ち、これらの画像領域３２０，３３０には、ユーザーが各供給画像を識別できるようにするための識別画像が表示されていれば良い。識別画像としては例えば、供給画像ごとに表示色を変えた画像や、供給画像ごとに設定されたアイコン、供給画像の画像名を表す文字列の画像などが含まれる。
【００７７】
C7．変形例７：
上記実施例において、操作ウィンドウ３００の表示候補画像一覧領域３３０には、投写スクリーンＳＣの表示画像に分割レイアウト可能な最大の画像数と同数のサムネイル画像を表示することができた。しかし、表示候補画像一覧領域３３０には、表示画像に分割レイアウト可能な画像数より多数のサムネイル画像が表示できるものとしても良い。
【００７８】
C8．変形例８：
上記実施例において、表示候補画像一覧領域３３０におけるサムネイル画像の配置レイアウトと、４分割レイアウトモードの表示画像における供給画像の配置レイアウトとは互いに対応していた。しかし、これらの配置レイアウトは互いに対応していなくとも良い。即ち、表示候補画像一覧領域３３０には、サムネイル画像が画面上の左右方向に一列にレイアウトされ、表示画像には、２行２列の配置構成で供給画像がレイアウトされるものとしても良い。ただし、表示画像における供給画像の配置レイアウトと、表示候補画像一覧領域３３０におけるサムネイル画像の配置レイアウトとが同期されていた方が、ユーザーが画像のレイアウト変更操作をする上での利便性が向上する。
【００７９】
C9．変形例９：
上記実施例において、画像表示システム１０００による表示画像は、最大４つの供給画像を表示可能なレイアウトモードを有していた。しかし、画像表示システム１０００の表示画像には、さらに複数の数の供給画像を分割レイアウトできるものとしても良い。
【００８０】
C10．変形例１０：
上記実施例の画像表示システム１０００では、画像表示装置２００の更新情報生成モジュールＭ２５が、操作ウィンドウ３００の更新情報を生成・配信するサーバーとして機能していた。しかし、操作ウィンドウ３００の更新情報は、画像表示装置２００が配信しなくとも良い。例えば、最初に画像表示装置２００に接続した画像供給装置がサーバーとして機能し、画像表示装置２００の操作ウィンドウ３００を同期するための更新情報を他の画像供給装置に配信するものとしても良い。あるいは、操作ウィンドウ３００を介してユーザーの操作を受け付けた画像供給装置が、他の画像供給装置に、操作ウィンドウ３００の更新情報を配信するものとしても良い。
【００８１】
C11．変形例１１：
上記実施例において、操作ウィンドウ３００は、各画像供給装置１００ａ〜１００ｅの表示部１６０に表示されていた。しかし、操作ウィンドウ３００は、画像表示装置２００に接続する全ての画像供給装置１００ａ〜１００ｅに表示されていなくとも良い。また、操作ウィンドウ３００は、画像表示装置２００に設けられた表示部に表示されるものとしても良い。なお、上記実施例においては、画像供給装置１００ａ〜１００ｅの表示部１６０や入力デバイス、更新情報生成モジュールＭ２５および通信制御モジュールＭ２６、さらに、画像表示装置２００のユーザーインターフェイスモジュールＭ４および通信制御モジュールＭ３などがそれぞれ連携することにより、ユーザーからの操作を受け付けるための操作入力装置として機能していると解釈することも可能である。
【００８２】
C12．変形例１２：
上記第１実施例の操作ウィンドウ３００では、画像選択枠３３５の枠内の領域を指定したドラッグ操作を受け付けたときには、画像選択枠３３５を移動させ、画像選択枠３３５の外周枠（枠状の位置）を指定したドラッグ操作を受け付けたときには、画像選択枠３３５の形状を変化させていた。しかし、操作ウィンドウ３００は、他の領域を指定したドラッグ操作を、画像選択枠３３５の移動または形状の変化のための操作として受け付けるものとしても良い。例えば、操作ウィンドウ３００では、画像選択枠３３５の外周枠を構成する各辺の中央部を指定したドラッグ操作がなされたときに、画像選択枠３３５の形状を変化させるものとしてもよい。また、画像選択枠３３５内の特定の位置を指定したドラッグ操作のときのみ、画像選択枠３３５を移動させるものとしても良い。
【００８３】
C13．変形例１３：
上記実施例において、操作ウィンドウ３００は、画像供給装置１００ａ〜１００ｅの表示部１６０に表示されたポインター１０を用いて操作されていた。しかし、操作ウィンドウ３００は、他の手段によって操作できるものとしても良い。例えば、操作ウィンドウ３００をタッチパネルに表示し、ユーザーが自身の指を用いて、画像選択枠３３５に対するドラッグ操作を実行するものとしても良い。
【００８４】
C14．変形例１４：
上記実施例では、画像選択枠３３５は、表示候補画像一覧領域３２０における表示位置と、枠内に表示されているサムネイル画像の個数と、のうちの少なくとも一方が異なる予め設定された複数の表示パターンのみを取ることができた。そして、ユーザーは、１回のドラッグ操作によって、その表示パターンを変更し、表示される画像の選択や、そのレイアウトの指定をすることができた。しかし、画像選択枠３３５は、表示候補画像一覧領域３２０における表示位置、または枠内に表示されているサムネイル画像の個数が異なる規定の表示パターンを取ることができるものとしても良い。あるいは、画像選択枠３３５は、予め設定された表示パターン以外の表示パターンを取ることができるものとしても良い。また、ユーザーは、複数回のドラッグ操作や、１回のドラッグ操作と他の操作との組合せ、その他の操作により、画像選択枠３３５の表示パターンを変更できるものとしても良い。ただし、上記実施例の構成であれば、ユーザーは、最小限の操作で、表示対象となる画像の選択と、表示画像のレイアウトの指定とを指令することができるため、画像表示システムにおけるユーザビリティが、より向上する。
【符号の説明】
【００８５】
５…マウス
１０…ポインター
１００ａ〜１００ｅ…画像供給装置
１０１ａ〜１０１ｅ…表示画像
１１０…ＣＰＵ
１３０…ＶＲＡＭ
１４０…ＲＡＭ
１５０…操作部
１６０…表示部
１７０…無線ＬＡＮ／ＩＦ
１８０…バス
２００…画像表示装置
２１０…ＣＰＵ
２２０…ＥＥＰＲＯＭ
２３０…ＲＡＭ
２４０…ＶＲＡＭ
２５０…操作部
２６０…画像表示部
２７０…光学系
２８０…無線ＬＡＮ／ＩＦ
２９０…バス
３００…操作ウィンドウ
３１０…レイアウトモード表示領域
３１１…第１のアイコン画像
３１２…第２のアイコン画像
３１３…第３のアイコン画像
３２０…ログインユーザー一覧領域
３３０…表示候補画像一覧領域
３３１…第１のサムネイル画像領域
３３２…第２のサムネイル画像領域
３３３…第３のサムネイル画像領域
３３４…第４のサムネイル画像領域
３３５…画像選択枠
１０００…画像表示システム
Ｍ１…画像キャプチャーモジュール
Ｍ２…供給画像生成モジュール
Ｍ３…通信制御モジュール
Ｍ４…ユーザーインターフェイスモジュール
Ｍ２１…画像取得モジュール
Ｍ２３…表示画像生成モジュール
Ｍ２４…表示画像出力モジュール
Ｍ２５…更新情報生成モジュール
Ｍ２６…通信制御モジュール
Ｐ１…画像供給プログラム
Ｐ２０…制御プログラム
ＳＣ…投写スクリーン
【図１】
0005604921.tif 000002
【図２】
0005604921.tif 000003
【図３】
0005604921.tif 000004
【図４】
0005604921.tif 000005
【図５】
0005604921.tif 000006
【図６】
0005604921.tif 000007
【図７】
0005604921.tif 000008
【図８】
0005604921.tif 000009
【図９】
0005604921.tif 000010
【図１０】
0005604921.tif 000011